(57)【特許請求の範囲】
【請求項１】
商用電源と接続される電源回路と、
前記電源回路から供給される電源電圧から生成される異なる周波数の電圧を昇圧して、昇圧後の電圧である高電圧を発生する高電圧発生回路と、
前記高電圧発生回路により発生された高電圧が印加される導電電極板が絶縁素材で覆われている通電マットと、
治療器の操作を受け付けるタッチパネルが取り付けられている液晶表示装置であって、当該液晶表示装置自体及び前記タッチパネルが、電気的に非接地の状態で設置されている液晶表示装置と、
前記電源回路及び前記高電圧発生回路と前記液晶表示装置の電気的な絶縁を維持した状態で、前記液晶表示装置に電力を供給する電力供給手段とを備えた電位治療器。
【請求項２】
前記電力供給手段が絶縁トランスで構成されており、前記絶縁トランスの１次側に前記電源電圧又は前記高電圧が印加され、前記絶縁トランスの２次側が前記液晶表示装置と接続されていることを特徴とする請求項１記載の電位治療器。
【請求項３】
前記電力供給手段が電池で構成されており、前記電池が前記液晶表示装置に電力を供給することを特徴とする請求項１記載の電位治療器。
【請求項４】
前記電力供給手段が非接触電力伝送器で構成されており、前記非接触電力伝送器が前記電源電圧又は前記高電圧の印加を受けると電力を発生して、前記液晶表示装置に前記電力を供給することを特徴とする請求項１記載の電位治療器。
【請求項５】
前記電力供給手段は、
前記電源電圧又は直流電圧が印加されると光を放射する発光素子と、
前記発光素子から放射された光を電気に変換する太陽電池とから構成されており、
前記太陽電池により変換された電気のエネルギーが前記液晶表示装置に供給されることを特徴とする請求項１記載の電位治療器。
【発明の詳細な説明】
【技術分野】
【０００１】
この発明は、治療者（患者）の体に高電圧を与えて電位治療を施す電位治療器に関するものである。
【背景技術】
【０００２】
例えば、以下の特許文献１，２，３に開示されている電位治療器は、高電圧を発生する高電圧発生回路を備え、その高電圧発生回路により発生された高電圧を治療者に与えることで、電位治療を施すようにしている。
これらの電位治療器の中には、現在、治療者に与えている電圧値や治療経過時間などの各種の情報を表示するための出力（表示）装置が設けられているのが一般的であり、当該表示装置として、液晶表示装置が実装されているものがある。
ただし、治療器の操作を受け付けるタッチパネルが液晶表示装置に取り付けられている電位治療器は存在しておらず、治療器の操作は、例えば、本体に取り付けられている操作スイッチ（例えば、押しボタン、回転スイッチなど）で行われるのが一般的である。
【０００３】
例えば、家電機器などでは、液晶表示装置の表示内容を見ながら操作が可能であるなどの多くのメリットがあるため、タッチパネルが取り付けられている液晶表示装置を実装しているものが広く普及している。
しかし、電位治療器は、高電圧発生回路を備えている特殊性があるため、タッチパネルが取り付けられている液晶表示装置を実装した場合、高電圧が与えられている治療中の治療者（治療中の治療者には、最大で、高電圧発生回路により発生された高電圧と同等の電位が誘導されている）がタッチパネルに触れると、治療者とタッチパネル（液晶表示装置）間の電位差によって放電や振動（バイブレーション）が発生することがある。
このような放電や振動の発生は、治療者に違和感（ビリビリした感覚）や不安感を与えたり、タッチパネルや液晶表示装置の故障を招くおそれがあるため、液晶表示装置が設置されている位置と異なる位置に配置されて絶縁されている操作スイッチで操作が行われるのが一般的である。
【先行技術文献】
【特許文献】
【０００４】
【特許文献１】特許第４２４６６７４号公報
【特許文献２】特許第４５０８７４４号公報
【特許文献３】特開２０００−１８９５２５号公報
【発明の概要】
【発明が解決しようとする課題】
【０００５】
従来の電位治療器は以上のように構成されているので、液晶表示装置の表示内容を見ながら直接液晶画面上で操作が可能であるなどの多くのメリットを有するタッチパネルを液晶表示装置に取り付けることができないなどの課題があった。
【０００６】
この発明は上記のような課題を解決するためになされたもので、治療者がタッチパネルに触れても放電や振動が発生することがないタッチパネル付の液晶表示装置を実装している電位治療器を得ることを目的とする。
【課題を解決するための手段】
【０００７】
この発明に係る電位治療器は、電源電圧又は電源電圧から生成される異なる周波数の電圧を昇圧して、昇圧後の電圧である高電圧を発生する電圧発生手段と、その電圧発生手段により発生された高電圧が印加される導電電極板が絶縁素材で覆われている通電マットと、治療器の操作を受け付けるタッチパネルが取り付けられている液晶表示装置であって、当該液晶表示装置自体及び前記タッチパネルが、電気的に非接地の状態で設置されている液晶表示装置とを備え、電力供給手段が、その電圧発生手段と液晶表示装置の電気的な絶縁を維持した状態で、その液晶表示装置に電力を供給するようにしたものである。
【０００８】
この発明に係る電位治療器は、電力供給手段が絶縁トランスで構成されており、その絶縁トランスの１次側に電源電圧又は高電圧が印加され、その絶縁トランスの２次側が液晶表示装置と接続されているようにしたものである。
【０００９】
この発明に係る電位治療器は、電力供給手段が電池で構成されており、その電池が液晶表示装置に電力を供給するようにしたものである。
【００１０】
この発明に係る電位治療器は、電力供給手段が非接触電力伝送器で構成されており、その非接触電力伝送器が電源電圧又は高電圧の印加を受けると電力を発生して、液晶表示装置に当該電力を供給するようにしたものである。
【００１１】
この発明に係る電位治療器は、電力供給手段が、電源電圧又は直流電圧が印加されると光を放射する発光素子と、その発光素子から放射された光を電気に変換する太陽電池とから構成されており、その太陽電池により変換された電気のエネルギーが液晶表示装置に供給されるようにしたものである。
【発明の効果】
【００１２】
この発明によれば、治療者がタッチパネルに触れても放電や振動が発生することがないタッチパネル付の液晶表示装置を実装している電位治療器を得ることができる効果がある。
【図面の簡単な説明】
【００１３】
【図１】この発明の実施の形態１による電位治療器を示す構成図である。
【図２】この発明の実施の形態２による電位治療器を示す構成図である。
【図３】この発明の実施の形態３による電位治療器を示す構成図である。
【図４】この発明の実施の形態４による電位治療器を示す構成図である。
【発明を実施するための形態】
【００１４】
実施の形態１．
図１はこの発明の実施の形態１による電位治療器を示す構成図である。
図１において、電源回路１は商用電源と接続され、その商用電源から供給される例えば１００Ｖの電源電圧を高電圧発生回路２及び絶縁トランス７の１次側に出力する回路である。
高電圧発生回路２は電源回路１から出力された電源電圧を電位治療に必要な電圧（例えば、実効値で３００Ｖ〜９０００Ｖ）まで昇圧し、昇圧後の電圧である高電圧を発生する回路である。
ここでは、高電圧発生回路２が電源回路１から出力された電源電圧を昇圧するものを想定しているが、その電源電圧から生成される異なる周波数の電圧を昇圧するようにしてもよい。
なお、電源回路１及び高電圧発生回路２から電圧発生手段が構成されている。
【００１５】
高電圧発生回路２による高電圧の発生方法は特に問わないが、一般的にはトランス昇圧方式を用いることができる。
トランス昇圧方式では、高電圧発生回路２がトランスを実装し、そのトランスの１次側に数十Ｖから１００Ｖ程度の交流電圧波形を入力すれば、そのトランスの２次側から９０００Ｖ以下の高電圧を発生させることができる。
なお、高電圧発生回路２は、出力電流を所定の基準電流以下に抑える電流制限抵抗を実装しており、その電流制限抵抗を介して、発生した高電圧を通電マット３に出力する。
【００１６】
通電マット３は高電圧発生回路２により発生された高電圧が印加される導電電極板が絶縁素材で覆われているマットであって、通電マット３は電位治療を受ける治療者の下に敷かれる。
通電マット３の導電電極板としては、例えば、カーボン布やカーボン繊維などを用いて造られているカーボン電極を用いることができる。
通電マット３の絶縁素材としては、例えば、塩化ビニールなどを用いることができる。
なお、導電電極板を絶縁素材でサンドイッチして、外周を耐圧処理したものが通電マット３となり、内部の導電電極板と治療者を絶縁することによって、安全に治療者に高電位を付加して電位治療を行うことができる。
絶縁シート４は通電マット３と床の間に敷かれ、通電マット３からアースに流れる電流を遮断するシートである。絶縁シート４は治療者へ印加する電圧の低下を抑えるために使用され、絶縁シート４の材料としては、加工し易い塩化ビニールなどが使用される。
【００１７】
液晶表示装置５は電気的に非接地の状態で設置されており（あるいは、表面に取り付けられているタッチパネル６が電気的に非接地の状態で設置されている）、現在治療者に与えられている電圧値や治療経過時間などの各種の情報を表示する装置である。液晶表示装置５は、例えば、ドットマトリクス方式の液晶表示器、その液晶表示器を駆動するマイコン、記憶装置、コントロール回路、バックライト回路などから構成されているユニット装置である。
また、液晶表示装置５はタッチパネル６から出力された電気信号（治療者の接触位置を示す座標情報）を上記のコントロール回路に伝達するコントロールＩＣも実装している。
タッチパネル６は治療器の操作を受け付けるマンマシンインタフェースであり、液晶表示装置５の表面に取り付けられている。
即ち、タッチパネル６は、液晶表示装置５の表面に取り付けられる薄い透明のパネルであり、例えば、治療者がタッチパネル６の表面を指先で触れると、その触れた位置のＸ座標とＹ座標を示す電気信号を液晶表示装置５内のコントロールＩＣに出力する処理を実施する。
【００１８】
絶縁トランス７は１次側が電源回路１（または、高電圧発生回路２）と接続され、２次側が液晶表示装置５と接続されており、絶縁トランス７は電源回路１及び高電圧発生回路２と液晶表示装置５の電気的な絶縁を維持した状態で、液晶表示装置５に電力を供給する電力供給手段を構成している。
【００１９】
次に動作について説明する。
電源回路１は、商用電源と接続されており、商用電源から供給される例えば１００Ｖの電源電圧を高電圧発生回路２及び絶縁トランス７の１次側に出力する。
高電圧発生回路２は、電源回路１から電源電圧を受けると、その電源電圧を電位治療に必要な電圧（例えば、実効値で３００Ｖ〜９０００Ｖ）まで昇圧し、昇圧後の電圧（以下、「高電圧」と称する）を発生する。
高電圧発生回路２は、高電圧を発生すると、その高電圧を通電マット３に出力するが、例えば、薬事法では、治療者の安全を確保する目的で、治療者に高電圧を与える際の漏れ電流（例えば、治療器から治療者を通じてグランドに流れる電流）を或る基準値以下に抑えることが規定されているので、内部に実装している電流制限抵抗を介して、発生した高電圧を通電マット３に出力する。
【００２０】
通電マット３は、内部の導電電極板と、その導電電極板を覆っている絶縁素材とから構成されており、通電マット３の導電電極板には、高電圧発生回路２から出力された高電圧が印加される。
治療者は、電位治療を受ける際に、高電圧が印加されている通電マット３の上に乗るので（図１の例では、治療者が通電マット３の上に立っているが、着座や寝ている状態でもよい）、治療者の体には高電位が与えられる。
なお、通電マット３と床の間には絶縁シート４が敷かれ、また、通電マット３の導電電極板が絶縁素材で覆われているので、通電マット３からアースに流れる電流が遮断され、治療者へ印加する電圧の低下が抑えられている。
【００２１】
絶縁トランス７は、電源回路１及び高電圧発生回路２と液晶表示装置５との間の電気的な絶縁を維持した状態で、液晶表示装置５に電力を供給するために設置されており、１次側が電源回路１と接続され、２次側が液晶表示装置５と接続されている。
絶縁トランス７は、電源回路１から出力された電源電圧が１次側に印加されると、電磁誘導で２次側に起電力を発生し、その電力を液晶表示装置５に供給する。
これにより、液晶表示装置５は、現在治療者に与えられている電圧値や治療経過時間などの各種の情報を表示することが可能になる。
【００２２】
この実施の形態１では、液晶表示装置５の表面にはタッチパネル６が取り付けられており、治療者は、液晶表示装置５の表示内容を見ながら、タッチパネル６で治療器の操作（例えば、治療器のＯＮ／ＯＦＦ、高電圧の電圧値の可変、治療時間の設定など）等を行うことができ、操作性や利便性を高めることができる。
ただし、液晶表示装置５（又はタッチパネル６）は、上述したように、電源回路１及び高電圧発生回路２と電気的に絶縁されており、かつ、アースされずに浮いている状態（周囲と絶縁されている状態）であるため、体に高電圧が与えられている状態で治療者が、液晶表示装置５の表面に取り付けられているタッチパネル６に触れても、治療者とタッチパネル６との間の電位差による放電や振動（バイブレーション）は発生しない。
【００２３】
以上で明らかなように、この実施の形態１によれば、電気的に非接地の状態で設置されているタッチパネル６付の液晶表示装置５を備え、絶縁トランス７が、電源回路１及び高電圧発生回路２と液晶表示装置５の電気的な絶縁を維持した状態で、液晶表示装置５に電力を供給するように構成したので、治療者がタッチパネル６に触れても放電や振動が発生することがないタッチパネル６付の液晶表示装置５を実装することができる効果を奏する。
【００２４】
即ち、液晶表示装置５（又はタッチパネル６）が電気的に非接地の状態で設置されるため、高電圧を印加された治療者がタッチパネル６に触れても、「治療者（高電位）、液晶表示装置５（又はタッチパネル６）、接地」の電気的な通電ルートが形成されることが防止され、かつ、絶縁トランス７によって、電源回路１及び高電圧発生回路２と液晶表示装置５の電気的な絶縁が維持されるため、高電圧を印加された治療者がタッチパネル６に触れても、「治療者、タッチパネル６、液晶表示装置５、電源回路１、高電圧発生回路２、通電マット３」のループ、又は、「治療者（高電位）、タッチパネル６、液晶表示装置５、電源回路１、商用電源」のルートにおいて、電気的な通電ルートが形成されることが防止される。
このように、この実施の形態１では、治療者（高電位）がタッチパネル６に触れた際に、治療者の高電位に基づく電流が流れる通電ルートが形成されることを抑止する手段を設けているため、放電や振動が発生することがないタッチパネル６付の液晶表示装置５を実装することができる効果を奏する。
【００２５】
実施の形態２．
図２はこの発明の実施の形態２による電位治療器を示す構成図であり、図において、図１と同一符号は同一または相当部分を示すので説明を省略する。
電池８は電力供給手段を構成しており、液晶表示装置５に電力を供給する電源である。
【００２６】
上記実施の形態１では、絶縁トランス７が、電源回路１及び高電圧発生回路２と液晶表示装置５との間の電気的な絶縁を維持した状態で、液晶表示装置５に電力を供給する例を示したが、絶縁トランス７の代わりに電池８を用いても、電源回路１及び高電圧発生回路２と液晶表示装置５との間の電気的な絶縁を維持した状態で、液晶表示装置５に電力を供給することができる。
したがって、この実施の形態２でも、上記実施の形態１と同様に、治療者がタッチパネル６に触れても放電や振動が発生することがないタッチパネル６付の液晶表示装置５を実装することができる効果を奏する。
【００２７】
実施の形態３．
図３はこの発明の実施の形態３による電位治療器を示す構成図であり、図において、図１と同一符号は同一または相当部分を示すので説明を省略する。
非接触電力伝送器９は電力供給手段を構成しており、非接触電力伝送器９が電源回路１から電源電圧（または、高電圧発生回路２から高電圧）の印加を受けると電力を発生して、液晶表示装置５に電力を供給する機器である。
即ち、非接触電力伝送器９はワイヤレス給電を行う機器であり、ワイヤレス給電には主に「電磁誘導」と「磁界共鳴」という２つの方式がある。
電磁誘導方式は、電源回路１から出力された電源電圧によって送電側のコイルに磁界が生み出され、受電側のコイルが当該磁界を受けることで、電力を作り出す方式である。
一方、磁界共鳴方式は、２つのコイルが特定の周波数で共鳴し、送電側のコイルで発生した磁界を通じて受電側のコイルに電力が伝わる方式である。
【００２８】
非接触電力伝送器９は、送電側のコイルと受電側のコイルが電気的に接続されていないため、図１の絶縁トランス７と同様に、電源回路１及び高電圧発生回路２と液晶表示装置５との間の電気的な絶縁を維持した状態で、液晶表示装置５に電力を供給することができる。
したがって、この実施の形態３でも、上記実施の形態１と同様に、治療者がタッチパネル６に触れても放電や振動が発生することがないタッチパネル６付の液晶表示装置５を実装することができる効果を奏する。
【００２９】
実施の形態４．
図４はこの発明の実施の形態４による電位治療器を示す構成図であり、図において、図１と同一符号は同一または相当部分を示すので説明を省略する。
発光素子１０は電源回路１から電源電圧が印加されると光を放射する部材であり、例えば、高輝度ＬＥＤ、電球、放電発光管などが該当する。
ここでは、発光素子１０が、電源回路１から電源電圧の印加を受けると、光を太陽電池１１に向けて放射するものを想定しているが、発光素子１０が、例えば、外部から直流電圧の印加、あるいは、高電圧発生回路２から高電圧の印加を受けると、光を太陽電池１１に向けて放射するものであってもよい。
太陽電池１１は発光素子１０から放射された光を電気に変換し、その電気のエネルギーである電力を液晶表示装置５に供給する。
なお、発光素子１０及び太陽電池１１から電力供給手段が構成されている。
【００３０】
次に動作について説明する。
発光素子１０は、電源回路１から電源電圧の印加を受けると、光を太陽電池１１に向けて放射する。
太陽電池１１は、発光素子１０から放射された光を受光すると、その光を電気に変換し、その電気のエネルギーである電力を液晶表示装置５に供給する。
発光素子１０と太陽電池１１は、電気的に接続されていないため、図１の絶縁トランス７と同様に、電源回路１及び高電圧発生回路２と液晶表示装置５との間の電気的な絶縁を維持した状態で、液晶表示装置５に電力を供給することができる。
したがって、この実施の形態４でも、上記実施の形態１と同様に、治療者がタッチパネル６に触れても放電や振動が発生することがないタッチパネル６付の液晶表示装置５を実装することができる効果を奏する。
【符号の説明】
【００３１】
１  電源回路（電圧発生手段）
２  高電圧発生回路（電圧発生手段）
３  通電マット
４  絶縁シート
５  液晶表示装置
６  タッチパネル
７  絶縁トランス（電力供給手段）
８  電池（電力供給手段）
９  非接触電力伝送器（電力供給手段）
１０  発光素子（電力供給手段）
１１  太陽電池（電力供給手段）
【図１】
0005916685.tif 000002
【図２】
0005916685.tif 000003
【図３】
0005916685.tif 000004
【図４】
0005916685.tif 000005